(57)【要約】【課題】洗浄槽の前後引出しによる洗浄槽の位置検出よりも早く、洗浄槽の引き出し動作を検知することにより、洗浄槽が開口部を露出した場合でも洗浄手段からの水が外に飛び出すことを防止すること。【解決手段】洗浄槽１２の外壁に設けられるとともに洗浄水を引き出すための取っ手１１と、取っ手１１に設けられた被接触検知手段１３と、洗浄槽１２内に設けられた洗浄手段１４と、洗浄手段１４に水を供給するとともに誘導モータ１９を動力とするポンプ１５と、誘導モータ１９にかける電圧を制御する制御手段１６とを備え、被接触検知手段１３が接触されたことを検知した場合、制御手段１６は、誘導モータ１９にかける電圧を下げる。【選択図】図１
2010193929.tif 000002
【特許請求の範囲】
【請求項１】
筐体と、前記筐体内に引出し自在に収納されるとともに被洗浄物を出し入れするための開口部を有する洗浄槽と、前記洗浄槽の外壁に設けられるとともに洗浄水を引き出すための取っ手と、前記取っ手に設けられた被接触検知手段と、前記洗浄槽内に設けられた洗浄手段と、前記洗浄手段に水を供給するとともに誘導モータを動力とするポンプと、前記誘導モータにかける電圧を制御する制御手段とを備え、前記被接触検知手段が接触されたことを検知した場合、前記制御手段は、前記誘導モータにかける電圧を下げる食器洗い機。
【請求項２】
前記被接触検知手段は、接触されたことを検知する静電容量検知手段であり、前記被接触検知手段が接触されたことを検知した場合、前記制御手段が前記誘導モータにかける電圧を下げる請求項１記載の食器洗い機。
【請求項３】
前記洗浄手段は回転可能に設けられた洗浄ノズルを有し、前記被接触検知手段が接触されたことを検知した場合、前記洗浄ノズルの回転を減速若しくは停止させる部材を設けた請求項１若しくは２に記載の食器洗い機。
【請求項４】
前記洗浄ノズルは裏面外壁に磁石を有し、前記洗浄ノズルの下方に位置する前記洗浄槽の底部に電磁石が設けられ、前記被接触検知手段が接触されたことを検知した場合、前記制御手段が、電磁石に電流を流し、前記洗浄ノズルの回転を減速させる請求項３記載の食器洗い機。
【請求項５】
前記洗浄槽は樹脂で作成され、前記電磁石は、前記洗浄槽の底部の樹脂内に設けることを特徴とした請求項４記載の食器洗い機。
【請求項６】
前記電磁石は、前記洗浄槽の底面外壁に設けられる請求項４記載の食器洗い機。
【請求項７】
前記洗浄槽の位置を検知する位置検知手段が前記筐体に設けられ、前記被接触検知手段が接触を検知することにより前記制御手段が前記誘導モータにかける電圧を下げた場合で、かつ、前記位置検知手段が前記洗浄槽が略完全に前記筐体内に収納されていることを検知した場合、前記制御手段は、前記被接触検知手段の検知が解除されれば、前記誘導モータにかける電圧を復帰させる請求項１記載の食器洗い機。
【請求項８】
前記ポンプは、回転方向の切換えにより洗浄と排水とを行う洗排兼用ポンプであって、洗浄と排水とを切換える電源切換え用のトライアックを有し、前記制御手段は、前記誘導モータ及び前記トライアックを制御し、前記被接触検知手段が接触されたことを検知した場合、前記制御手段は、前記トライアックを介して前記誘導モータを位相制御することにより誘導モータへの印加電圧を低下させ、前記ポンプの回転数を低下させる請求項１記載の食器洗い機。
【請求項９】
前記被接触検知手段は、前記取っ手の内側外壁に配置されたことを特徴とする請求項１乃至７に記載のいずれかの食器洗い機。
【請求項１０】
前記誘導モータは、慣性モーメントが０ｋｇｍ２より大きく０．００１ｋｇｍ２以下の回転子径および質量であり、前記被接触検知手段が接触されたことを検知した場合に、前記制御手段がポンプ動作を停止する請求項１記載の食器洗い機。
【発明の詳細な説明】
【技術分野】
【０００１】
本発明は洗浄ノズルから水を噴射して食器類を洗う食器洗い機に関するものである。
【背景技術】
【０００２】
従来の食器洗い機は、図８に示すように前方に開口する食器洗い機本体１内に前後方向に移動自在に設置された洗浄槽２と、洗浄槽２の前後移動を検知するマイクロスイッチ５と、洗浄槽２の移動を、第一の拘束位置と第二の拘束位置で拘束するギアードモータ６と、洗浄槽２内に配置され食器類１１を洗浄する洗浄ノズル４とを有し、ギアードモータ６による洗浄槽２の移動の拘束中に、洗浄槽２が第一の拘束位置から第二の拘束位置に移動したことをマイクロスイッチ５が検知してから所定時間以内は、ギアードモータ６による拘束を解除しないもので、洗浄槽を勢いよく引き出そうとしても、所定時間は、洗浄槽２を第二の拘束位置より前に引き出せない。これは、洗浄槽２が上方に開口し、かつ、運転中は洗浄ノズル４が上方に洗浄水を噴出させているので、洗浄ノズル４から噴出する水が、洗浄槽４の開口部から外に飛び出したり、使用者にかかることが無いようにしたためである（例えば、特許文献１参照）。
【特許文献１】特開２００７−３０１０６５号公報
【発明の開示】
【発明が解決しようとする課題】
【０００３】
しかしながら、前記従来の、マイクロスイッチにより洗浄槽の前後移動を検知する方式では、実際に洗浄槽が第２の拘束位置までに動いた後に初めて洗浄槽の移動を検知することができるため、洗浄槽外壁前面に設けられた取っ手に使用者が手を掛けてから、洗浄槽の前後移動をマイクロスイッチが検知するまでの時間だけ検知する時間が遅延するという課題があった。つまり、マイクロスイッチが第２の拘束位置を検知してからポンプの減速をおこなうために、検知から１秒以内にポンプが停止した場合であっても洗浄槽が開口しているため、水が外へ飛び出すという課題があった。
【０００４】
また、ギアードモータやマイクロスイッチを使用し、コストが高くなる上に、使用者が洗浄中に勢いよくドアを引き出そうとした場合に、洗浄槽が拘束されているために使用者が手や腕にストレスがかかったり、ギアードモータの拘束時間が所定時間以内という時間の間、使用者が待たされるという使い勝手の悪い操作性を有していた。
【０００５】
本発明は、前記従来の課題を解決するもので、洗浄槽の移動を検知する時間の遅れを短くするとともに、余分な部品を使用することなく水が外に飛び出すということがない、安全かつ使い勝手のよい食器洗い機を提供することを目的とする。
【課題を解決するための手段】
【０００６】
筐体と、前記筐体内に引出し自在に収納されるとともに被洗浄物を出し入れするための開口部を有する洗浄槽と、前記洗浄槽の外壁に設けられるとともに洗浄水を引き出すための取っ手と、前記取っ手に設けられた被接触検知手段と、前記洗浄槽内に設けられた洗浄手段と、前記洗浄手段に水を供給するとともに誘導モータを動力とするポンプと、前記誘導モータにかける電圧を制御する制御手段とを備え、前記被接触検知手段が接触されたことを検知した場合、前記制御手段は、前記誘導モータにかける電圧を下げ、前記ポンプ動作を即座に停止するものである。
【０００７】
これによって、洗浄槽が開口部を露出する前にポンプを停止することができ、洗浄槽の開口部からの洗浄水の飛び出しを確実に防止することができる。
【発明の効果】
【０００８】
本発明の食器洗い機によれば、取っ手に被接触検知手段を設け、その被接触検知手段に使用者が触れることで制御手段が誘導モータを動力とするポンプを即座に停止させることで、洗浄槽の前後引出しによる洗浄槽の位置検出よりも早く、洗浄槽の引き出し動作を検知することができることにより、洗浄槽が開口部を露出した場合でも洗浄手段からの水が外に飛び出すことを防止できる食器洗い機を提供することができる。
【発明を実施するための最良の形態】
【０００９】
第１の発明は、筐体と、前記筐体内に引出し自在に収納されるとともに被洗浄物を出し入れするための開口部を有する洗浄槽と、前記洗浄槽の外壁に設けられるとともに洗浄水を引き出すための取っ手と、前記取っ手に設けられた被接触検知手段と、前記洗浄槽内に設けられた洗浄手段と、前記洗浄手段に水を供給するとともに誘導モータを動力とするポンプと、前記誘導モータにかける電圧を制御する制御手段とを備え、前記被接触検知手段が接触されたことを検知した場合、前記制御手段は、前記誘導モータにかける電圧を下げることにより、食器洗い機の取っ手を勢いよく開いた場合でも、洗浄槽の移動前にポンプを停止制御することで洗浄手段からの水を外に飛び出させることを防止でき、安全性を確保するとともに部品削減による経済性に優れた食器洗い機を提供できる。
【００１０】
第２の発明は、前記被接触検知手段が、接触されたことを検知する静電容量検知手段とすることにより、前記静電容量検知手段は接触時にストロークが無く、ストロークによる遅延を発生させないために、前記被接触検知手段の接触検知をより早く、正確に検出することができる。
【００１１】
第３の発明は、前記洗浄手段は回転可能に設けられた洗浄ノズルを有し、前記被接触検知手段が接触されたことを検知した場合、前記洗浄ノズルの回転を減速若しくは停止させる部材を設けることにより、前記被接触検知手段が接触を検知した場合に、洗浄ノズルの減速部材により、洗浄ノズルの回転を停止することができ、洗浄ノズルからの水の噴射を抑制することで、より早く洗浄槽から外への水の飛出しを防止できる。
【００１２】
第４の発明は、前記洗浄ノズルは裏面外壁に磁石を有し、前記洗浄ノズルの下方に位置する前記洗浄槽の底部に電磁石が設けることにより、前記被接触検知手段が接触を検知した場合に、制御手段から前記電磁石に電流を流すことで、洗浄ノズル裏面外壁に設けた磁石を磁力による吸引をおこなうことで、非接触により洗浄ノズルを減速することができる。また電磁石による非接触であるため、構造上の信頼性、長期使用、低騒音化を向上することができる。
【００１３】
第５の発明は、前記洗浄槽は樹脂で作成され、前記電磁石は、前記洗浄槽の底部の樹脂内に設けることにより、前記電磁石と前記洗浄ノズルの裏面外壁に設けた磁石間の距離のばらつきを最小限に抑制することができ、安定した減速動作ができ、前記電磁石の防水性、設置性を向上できる。
【００１４】
第６の発明は、前記電磁石は、前記洗浄槽の底面外壁に設けることにより、前記洗浄槽の形状や大きさが異なる複数の機種にも容易に配置替えをおこなうことができ、減速性能を向上するために複数の電磁石設置も容易にできる。
【００１５】
第７の発明は、前記洗浄槽の位置を検知する位置検知手段が前記筐体に設けられ、前記被接触検知手段が接触を検知することにより前記制御手段が前記誘導モータにかける電圧を下げた場合で、かつ、前記位置検知手段が前記洗浄槽が略完全に前記筐体内に収納されていることを検知した場合、前記制御手段は、前記被接触検知手段の検知が解除されれば
、前記誘導モータにかける電圧を復帰させることにより、洗浄槽の開口に備えてポンプ動作を停止し、水の飛出しを防止することができるとともに、位置検知手段により洗浄槽を開口しない場合には、即座にポンプ動作を再開するという使い勝手が良く、安全性の高い食器洗い乾燥機を提供できる。
【００１６】
第８の発明は、前記ポンプは、回転方向の切換えにより洗浄と排水を行う洗排兼用ポンプであって、洗浄と排水とを切換える電源切換え用のトライアックとを有し、前記制御手段は前記誘導モータ及び前記トライアックを制御し、前記被接触検知手段が接触されたことを検知した場合、前記制御手段は、前記トライアックを介して前記誘導モータを位相制御することにより誘導モータへの印加電圧を低下させ、前記ポンプの回転数を低下させる。
【００１７】
これによって、前記被接触検知手段が検知した際に、前記洗浄手段からの水の噴射量を低下させ、洗浄槽を開口した場合でも、噴射量を低下した状態からポンプ停止をおこなうことで噴射水が外へ飛び出さないようにすることができる。さらに前記被接触検知手段が検知したのみで洗浄槽を開口せずに被接触検知手段が非検知となった場合でも、再びポンプの回転数を即座に上げることができ、洗浄動作を停止せずに洗浄状態を継続することができるうえ、洗浄時間を短縮化できる。
【００１８】
第９の発明は、前記被接触検知手段は、前記取っ手の内側外壁に配置することにより、使用者が洗浄槽の引出し行為方向に前記接触手段を設け、引出し行為時に確実に最初に接触することで検出の精度を向上でき、使用者が洗浄槽を引き出す開口動作を正確で早期に検出することができる。
【００１９】
第１０の発明は、前記誘導モータは、慣性モーメントが０ｋｇｍ２より大きく０．００１ｋｇｍ２以下の回転子径および質量であり、前記被接触検知手段が接触されたことを検知した場合に、前記制御手段がポンプ動作を停止することにより、誘導モータの慣性モーメントによる回転時間を短くすることができ、ポンプ動作を早期に停止することができ、洗浄ノズルからの噴射水を洗浄槽の外へ噴射することを防止できる。
【００２０】
（実施の形態１）
以下、本発明の実施の形態１について図面を用いて説明する。
【００２１】
図１は、本発明の実施の形態における食器洗い機の構成を示したもので、図１において、食器洗い機本体１０は、その内部に引出し自在に収納され、被洗浄物を出し入れするための開口部を上面にある洗浄槽１２が設けられ、その洗浄槽１２の底裏面外壁に誘導モータ１９で駆動するポンプ１５が配置され、そのポンプ１５から水を供給接続する洗浄手段（洗浄ノズル）１４が、洗浄槽１２の底部内面壁に配置される。
【００２２】
次に食器洗い機本体１０から洗浄槽１２を前後方向に引き出すための取っ手１１が配置され、その取っ手１１に使用者が接触したことを検知する被接触検知手段（タッチセンサ）１３が設けられている。さらに洗浄槽１２の背面と食器洗い機本体１０の間に位置検知手段１８（マイクロスイッチ）が設けられ、洗浄槽１２の引出し状態を検知する。
【００２３】
さらに洗浄ノズル１４と洗浄槽１２の底部分との間に洗浄ノズル１４を減速させるブレーキ１７を設け、誘導モータ１９とブレーキ１７を制御する制御手段１６を設けられている。
【００２４】
図２は、食器洗い機本体１０の取っ手１１の一部分を示したもので、静電容量式タッチセンサ１３Ｂが取っ手１１の内側外壁の上面に配置した構成を示している。
【００２５】
図３は、洗浄槽１２の底部の樹脂内に電磁石１７Ａを設け、洗浄ノズル１４の底面裏外壁に磁石１７Ｂを取り付けた構造を示している。
【００２６】
図４は、図３の洗浄ノズル１４の底裏面外壁に設けた磁石１７Ｂを構造を示している。
【００２７】
図５は、洗浄槽１２の底部の裏側外壁に電磁石１７Ａを設け、洗浄ノズル１４の底面裏側外壁に磁石１７Ｂを取り付けた構造を示している。
【００２８】
次に、本実施の形態の食器洗い乾燥機の動作について説明する。
【００２９】
まず、図１の食器洗い機本体１０は、洗浄動作をおこなう場合、使用者が洗浄操作をおこなうことで、制御手段１６がポンプ１５を駆動する誘導モータ１９に商用電源１００を印加し、ポンプ１５が発生させた水流を洗浄ノズル１４送出し洗浄ノズル１４が水を噴出することで洗浄槽１２内の食器類を洗浄する。
【００３０】
次に洗浄動作を停止する場合は、使用者が洗浄停止操作をおこなうことで、制御手段１６がポンプ１５を駆動する誘導モータ１９への商用電源１００をオフすることにより、誘導モータ１９およびポンプ１５が回転を減速し停止する。その結果ポンプ１５から洗浄ノズル１４への水流が停止することで洗浄ノズル１４からの水の噴出が無くなる。
【００３１】
さらに、使用者が食器類を取り出す場合は、使用者が食器洗い機本体１０の洗浄動作を停止した後、洗浄槽１２を食器洗い機本体１０から引出して食器類を洗浄槽１２の開口部から取り出す。
【００３２】
しかし、使用者が器洗い機本体１０の洗浄停止動作をおこなわずに取っ手１１に手を掛け引出す場合には、使用者が取っ手１１に手を掛けてから洗浄槽１２が実際に引出されるまでの遅延時間を約１秒とした場合、その時間を利用し、まず、取っ手１１に使用者が手を掛けた際に取っ手１１の前面にあるタッチセンサ１３に使用者が接触したことを検知し、即座に制御手段１６が誘導モータ１９に印加している電源をオフし、約１秒以内にポンプ１５および誘導モータ１９が減速し、停止することで洗浄ノズル１４の噴水が無くなる。よって、洗浄槽１２が引出された時点では洗浄ノズル１４からの噴水が減少され、洗浄槽１２の外に飛び出さないようにすることができる。
【００３３】
ここで、ポンプ１５を駆動する誘導モータ１９に電源印加状態から電源オフとして洗浄ノズルからの噴出が停止するまでの時間を誘導モータ１９の慣性モーメントを０．００１ｋｇｍ２以下とした場合には、確実に１秒以内で停止することが実験で確認できており、タッチセンサ１３により使用者が取っ手に接触することで、誘導モータ１９の電源をオフすることで確実に洗浄槽１２からの水の飛出しを防止できる。
【００３４】
ここで、誘導モータ１９の慣性モーメントを０．００１ｋｇｍ２以下としたが、誘導モータが仮に、定常回転時の回転数が３０００ｒｐｍ、トルクが０．１２Ｎｍとして動作し、始動トルクが０．０６Ｎｍの場合、モータの慣性モーメントが０．００１ｋｇｍ２以下であるとすると減速時間ｔは、実際には減速中のトルクが変化するため実際には下記の計算値よりも小さくなるが、
Ｔ＝Ｊω      Ｊ＝０．００１ｋｇｍ２
ω＝２πＮ／６０・１／ｔ      Ｎ：回転数（ｒｐｍ）、ｔ：減速時間
始動トルク０．０６Ｎｍの場合
０．０６＝０．００１×２πＮ／６０・１／ｔ          ｔ＝５．２（秒）
モータ単体の減速時間が約５．２秒で減速するが、実際のポンプにおいてはモータ負荷
としてランナが設けられ、そのランナが水の負荷により回転の負荷となり、減速中のトルクも変化するため、実際には約１秒以内に停止することが確認できている。従って、慣性モーメント０．００１ｋｇｍ２以下の誘導モータ１９であれば、洗浄槽１２の開口時に水が洗浄槽１２の外に飛び出すことを防止できる。
【００３５】
さらに、使用者が取っ手１１の前面にあるタッチセンサ１３に接触した際、制御装置１６が、誘導モータ１９の電源をオフし、洗浄ノズル１４が停止する。その後、位置検知手段１８が洗浄槽１２の引出された開状態を検知した場合は、誘導モータ１９の電源オフを保持する。
【００３６】
しかし、タッチセンサ１３が検知後、位置検知手段１８が閉状態のままでタッチセンサ１３の検知が解除された場合には、タッチセンサ１３検知時にオフした誘導モータ１９への電源印加を再度オンすることで継続して洗浄動作をおこなう。
【００３７】
これにより、使用者が取っ手１１に触れ、洗浄槽１２を引出す場合には洗浄ノズル１４からの水の飛出しを防止でき、取っ手１１に触れただけで、引出し動作をやめた場合には洗浄動作を再び継続でき、安全かつ使い勝手の良い動作をおこなうことができる。
【００３８】
さらに洗浄動作中に、使用者が器洗い機本体１０の洗浄停止動作をおこなわずに取っ手１１に手を掛け引出す場合には、制御手段１６がポンプ１５の誘導モータ１９の電源をオフすると同時に洗浄槽１２の底面にあるブレーキ１７を制御手段１６で制御し、洗浄ノズル１４を停止させる。
【００３９】
これにより、誘導モータ１９の停止と同時に洗浄ノズル１４も停止することができ、さらに早期に洗浄ノズル１４からの噴水を防止することができる。
【００４０】
図２は、食器洗い乾燥機本体１０の取っ手１１の一部分を示したもので、静電容量式タッチセンサ１３Ｂが取っ手１１の引出し方向の内側上面に配置されている。
【００４１】
このように配置することで、使用者が洗浄槽１２を引出す際に、引出し方向に必ず指先が、静電容量式タッチセンサ１３Ｂに触れることで、指先だけで取っ手１１に触れるような場合でも確実に接触を検知できるとともに、引出し動作以外に取っ手１１の前面ふれることによる使用者が意図しない誤動作による接触検知を防止できる。
【００４２】
また、図２に示す被接触検知手段１３を静電容量式のタッチセンサ１３Ｂとした場合、機械式のタッチセンサと比べ、機械的に指先で接触から一定ストロークの間、圧力を加える必要性やストロークによる動作遅延時間を発生させない。
【００４３】
このようにすることで、静電容量式タッチセンサ１３Ｂの接触検知動作を遅延時間なくおこなうことができ、接触検出後のポンプ１５の停止を遅延させずに安定して停止させることができる。
【００４４】
また、図３に示す洗浄槽１２の底面の樹脂内に電磁石１７Ａを収納配置することで、洗浄ノズル１４の底裏面外壁に設けた磁石１７Ｂとの位置関係（距離）をばらつきを少なく安定して配置できるため、電磁石１７Ａへ制御手段１６が減速制御をおこなう場合に安定した減速をおこなうことができ、樹脂内部に収納することで洗浄槽１２内部の水や漏水による水が電磁石１７Ａにかかる危険が無く、絶縁性能を向上できる。
【００４５】
また、図４に示す洗浄ノズルの底面外壁に磁石１７Ｂを設けた構造とし、磁石のＮ極を底面として洗浄ノズル１４の回転中心を対称的に２ヶ所設け、図３に示す電磁石１７Ａを
洗浄ノズル１４の磁石１７Ｂに対応するように２ヶ所配置し、Ｓ極の磁力を発生させることで、洗浄ノズル１４の磁石１７Ｂが電磁石１７Ａに引かれ減速する。
【００４６】
ここで、磁石１７Ｂの磁極をＮ極としたがＳ極とし、電磁石１７ＡをＮ極として引かれることでも同じである。
【００４７】
また、洗浄槽１２の底面の樹脂内部に収納する電磁石１７Ｂをここでは２ヶ所としているが、洗浄ノズル１４が回転する円状内に複数設けることでさらに減速を早くすることができる。
【００４８】
また、図５に示す洗浄槽１２の底面の裏側外壁に電磁石１７Ａを配置することでも同じように洗浄ノズル１４を減速することができるとともに、洗浄ノズル１４や洗浄槽１２の大きさが異なる場合など取り付け位置を自由にすることができ、容易に最適な配置にすることができる。
【００４９】
（実施の形態２）
図６は、本発明の実施の形態２の食器洗い機のポンプの動力である誘導モータ１９への電源供給回路を示した構成図である。図６において、商用電源１００は、一つの動作は、制御手段１６がトライアック２４Ａを制御し、トライアック２４Ａを全導通させ、商用電源１００の電圧が誘導モータ１９に印加され、ポンプ１５を正回転させる。またもう一方の動作は、制御手段１６がトライアック２４Ｂを制御し、トライアック２４Ｂを全導通させ、商用電源１００の電圧が誘導モータ１９に印加され、ポンプ１５を逆回転させる。誘導モータ１９に印加される電圧が、コンデンサによる位相差で誘導モータ１９の巻き線にかかる電圧位相差により誘導モータ１９が正逆回転をおこなう。
【００５０】
図７は、本発明の実施の形態２の食器洗い機のポンプの動力である誘導モータへの電源供給時のトライアック２４Ａまたはトライアック２４Ｂの制御波形を示す。
【００５１】
図７において、上段の制御信号２０は、制御手段１６のトライアック２４Ａへの制御信号で、制御手段１６が商用電源１００の電圧波形２１のゼロクロス点２３（半周期毎）からの時間である制御タイミング２０Ａで、半周期毎に制御信号をトライアック２４Ａに出力する。
【００５２】
下段の電圧波形２１は、商用電源１００の電圧波形であり、制御信号２０によりトライアック２４Ａは、商用電源１００の制御電圧波形２２として誘導モータ１９へ印加される。
【００５３】
上記構成において以下動作を説明する。制御手段１６は、制御タイミング２０Ａのタイミングを制御することで誘導モータ１９への印加電圧を下げることができる。例えば、制御タイミング２０Ａをゼロとして制御をおこなう場合は、商用電源１００の電圧がそのまま誘導モータ１９に印加され、制御タイミング２０Ａを大きくすれば、誘導モータ１９への印加電圧が小さくなる。
【００５４】
誘導モータ１９は、電圧の２乗にトルクが比例するため、電圧を下げることでトルクが低下することで、回転数が低下する。この回転数が低下することでポンプ１５の水流量を低下することとなり、被接触検知手段１３が検知した際に、制御手段１６がトライアック１７Ａの制御タイミング２０Ａを大きくすることで、一次的にポンプ１５の水流量が低下し、洗浄槽１２を引出された場合に洗浄槽１２から水が飛び出さない。さらに洗浄槽１２を引出さない場合で、被接触検知手段１３の検知信号が解除された場合では、誘導モータ１９への印加電圧が制御タイミング２０をゼロとすることで誘導モータ１９の回転を停止
した場合に比べ、定常回転数に戻るまでの起動時間が早い。
【００５５】
このことにより、洗浄動作を停止させずに、洗浄槽１２の引出しをおこなっても水が外に飛び出さず、かつ、安全で応答性が良く、使い勝手の良い食器洗い機を提供することができる。
【産業上の利用可能性】
【００５６】
本発明にかかる食器洗い機は、洗浄中の洗浄槽の引出し動作において、誘導モータの慣性動作を考慮した洗浄槽の引出し検出方法により、洗浄槽が引出された場合に、水が飛び出すことを防止することが可能になるので、ビルトイン式のフロントおよびスライド式、卓上式の食器洗い機に有用である。
【図面の簡単な説明】
【００５７】
【図１】本発明の実施の形態１における食器洗い機の構成図
【図２】本発明の実施の形態１における食器洗い機の取っ手の構成図
【図３】本発明の実施の形態１における食器洗い機の洗浄槽構成図
【図４】本発明の実施の形態１における洗浄ノズルの構造図
【図５】本発明の実施の形態１における食器洗い機の洗浄槽構成図
【図６】本発明の実施の形態２における食器洗い機の制御手段の詳細構成図
【図７】本発明の実施の形態２における制御手段の制御波形および印加電圧波形を示す図
【図８】従来の食器洗い機の構成図
【符号の説明】
【００５８】
１０  食器洗い機本体
１１  取っ手
１２  洗浄槽
１３  被接触検知手段（タッチセンサ）
１３Ｂ  静電容量式タッチセンサ
１４  洗浄手段（洗浄ノズル）
１５  ポンプ
１６  制御手段
１７  ブレーキ
１７Ａ  電磁石
１７Ｂ  磁石
１８  位置検出手段（マイクロスイッチ）
１９  誘導モータ
２０  制御信号
２０Ａ  制御タイミング時間
２１  商用電源電圧波形
２２  印加電圧
２３  ゼロクロス点
２４Ａ、２４Ｂ  トライアック
１００  商用電源
【図１】
2010193929.tif 000003
【図２】
2010193929.tif 000004
【図３】
2010193929.tif 000005
【図４】
2010193929.tif 000006
【図５】
2010193929.tif 000007
【図６】
2010193929.tif 000008
【図７】
2010193929.tif 000009
【図８】
2010193929.tif 000010